(57)【要約】【課題】８０〜１００倍程度の高変倍比を有しつつ前玉径が小さく、沈胴時にコンパクトに収納可能なレンズ系を提供すること。【解決手段】物体側より正の第１レンズ群、負の第２レンズ群を有し、正の第３レンズ群とその像側に後続のレンズ群を有する。各レンズ群の空気間隔を変化させる事により変倍を行うズームレンズ系において、広角端から望遠端へのズーミング中、第１群は物体側へ移動し、第１群と第２群の空気間隔が増大する。第２群と第３群は減少すると共に、第２群と第３群の間にフレアカット絞りとＦｎｏ絞りを有する。フレアカット絞りとＦｎｏ絞りはそれぞれ各群とは独立に移動し、フレアカット絞りとＦｎｏ絞りの空気間隔は減少し、Ｆｎｏ絞りと第３群の空気間隔は減少する。【選択図】図１
2016191766.tif 000002
【特許請求の範囲】
【請求項１】
物体側より正の第１レンズ群、負の第２レンズ群を有し、正の第３レンズ群とその
像側に後続のレンズ群を有し、
各レンズ群の空気間隔を変化させる事により変倍を行うズームレンズ系において、
広角端から望遠端へのズーミング中、第１群は物体側へ移動し、第１群と第２群の空気間隔が増大し、第２群と第３群は減少すると共に、第２群と第３群の間にフレアカット絞りとＦｎｏ絞りを有し、
広角端から望遠端へのズーミング中、フレアカット絞りとＦｎｏ絞り、第３群はそれぞれ各群とは独立に移動し、フレアカット絞りとＦｎｏ絞りの空気間隔は減少し、Ｆｎｏ絞りと第３群の空気間隔は減少することを特徴とするズームレンズ。
【請求項２】
前記レンズ系において、フレアカット絞りとＦｎｏ絞りの位置は広角端、望遠端において以下の条件式を満足する様に移動することを特徴とする請求項１に記載のズームレンズ。
４．２  ＜（ｄｓｆＷ−ｄｓｆｔ）／ｆｗ  ＜  １２      ・・・（１）
２．５  ＜（ｄｓｓＷ−ｄｓｓｔ）／ｆｗ  ＜３．７      ・・・（２）
ｄｓｆＷ；広角端におけるフレアカット絞りとＦｎｏ絞りの間隔
ｄｓｆｔ；望遠端におけるフレアカット絞りとＦｎｏ絞りの間隔
ｄｓｓＷ；広角端におけるＦｎｏ絞りの間隔と第３群の間隔
ｄｓｓｔ；望遠端におけるＦｎｏ絞りの間隔と第３群の間隔
ｆｗ：広角端の焦点距離
【請求項３】
前記レンズ系において、フレアカット絞りとＦｎｏ絞りの広角端から望遠端へのズーミング移動量は以下の条件式を満足する様に移動することを特徴とする請求項１又は請求項２に記載のズームレンズ。
１．１＜  Ｍ３／ｆ３  ＜２．８                      ・・・（３）
０．０５  ＜Ｍｓｆ／ｆ３  ＜  ０．６                ・・・（４）
０．７  ＜Ｍｓｓ／ｆ３  ＜  ２．５                  ・・・（５）
Ｍ３；第３群のズーミング移動量
Ｍｓｆ；フレアカット絞りのズーミング移動量
Ｍｓｓ；Ｆｎｏ絞りのズーミング移動量
ｆ３；第３群の焦点距離
【請求項４】
前記レンズ系において、前記第1群、第3群は以下の条件式を満足することを特徴とする請求項1乃至請求項３の何れか一項に記載のズームレンズ。
０．２  ＜  ｆ１／ｆｔ  ＜  ０．４      ・・・（６）
０．０３  ＜  ｆ３／ｆｔ  ＜０．２      ・・・（７）
ｆ１；第１群の焦点距離
ｆ３；第３群の焦点距離
ｆｔ；望遠端における全系の焦点距離
【請求項５】
前記レンズ系において物体側より正の第１レンズ群、負の第２レンズ群を有し、正の第３レンズ群、負の第４レンズ群、正の第５レンズ群からなり、広角端より望遠端へのズーミング中第３群、第４群の空気間隔が変化し、第４群と第５群の空気間隔が増大することを特徴とする請求項１乃至請求項４の何れか一項に記載のズームレンズ。
【請求項６】
前記レンズ系において前記第１レンズ群は負の第１１レンズ、正の第１２レンズ、正の第１３レンズ、正の第１４レンズ、にて構成され、前記第１１レンズと第１２レンズを接合した構成とする請求項１乃至請求項５の何れか一項に記載のズームレンズ。
【請求項７】
前記レンズ系において前記第２レンズ群は負の第２１レンズ、正の第２２レンズ、負の第２３レンズ、負の第２４レンズ、負の第２５レンズ、にて構成され、前記第２２レンズと第２３レンズを接合した構成とする請求項１乃至請求項６の何れか一項に記載のズームレンズ。
【請求項８】
請求項1乃至請求項７の何れか一項に記載されたズームレンズを備えた撮像装置。
【発明の詳細な説明】
【技術分野】
【０００１】
本発明は、デジタルスチルカメラ等に好適な小型で高変倍比を有するズームレンズに関し、特に所定の変倍比を確保すると共に、前玉径、収納状態におけるレンズ全長の短縮化を図った携帯性に優れたズームレンズに関する。
【背景技術】
【０００２】
近年、固体撮像素子を用いたビデオカメラ、デジタルスチルカメラ、等の撮像装置においては、高機能化とともに装置全体の小型化がなされている。そしてそれに伴って、これらに用いる撮影光学系としては、レンズ全長が短くコンパクトでしかも高性能のズームレンズが要求されている。
【０００３】
又撮影領域の拡大のため５０倍を超える様な高変倍比を有するレンズに対するニーズが高まり所望の変倍比、Ｆｎｏを有しつつも携帯性にも配慮し一眼レフカメラに標準ズームを搭載した状態より一回り小さい程度のブリッジカメラスタイルに収納出来る程度のズームレンズが要求されている。特に８０倍以上の変倍比を有しつつも、ズーム全域にわたり良好に収差補正がなされたズームレンズに対する期待が高まりつつある。
【０００４】
物体側より、正の第１群、負の第２群、正の第３群、負の第４群、正の第５群を有し各群を移動させて変倍を行うズームレンズが知られている（特許文献１）。特許文献１では、広角端において第２群と第３群の中間に絞りを配置し、望遠端へのズーミング中第３群との間隔がなくなる様に移動させている。これにより、広角端における絞り位置は絞りは第１第２群に近くなる為前為系を抑える事に成功している。特許文献１においては、以上の構成により３０程度の変倍比を有するズームレンズを実現している。
【０００５】
また、物体側より、正の第１群、負の第２群、正の第３群、正の第４群を有し各群を移動させて変倍を行うズームレンズが知られている（特許文献２）。特許文献２においては、第１群をズームング中固定すると共に、第２群、第３群、第４群を移動させる事により１３倍程度の変倍比を確保している。また、絞りを第２群と第３群の中間に配し、ズーミング中固定としている。そして、第２群と絞りの間に第２群と独立に移動するフレアカッタ―を配し、広角域における中間画角の下線フレアをカットする役割を担い良好に収差補正を行っている。
【先行技術文献】
【特許文献】
【０００６】
【特許文献１】特開２０１１−０３３８６８号公報
【特許文献２】特開２０１２−０８８６０３号公報
【発明の概要】
【発明が解決しようとする課題】
【０００７】
近年、カメラのコンパクト化、高ズーム比と共に、コンパクトに収納できるズームレンズを用いたカメラが注目されている。特に５０倍程度の高変倍比を有するデジタルカメラが出現し、携帯性を維持しつつ超望遠撮影が可能となり一つのジャンルを形成している。その様なレンズにおいては、最も物体側に正レンズ群を配する、正先行型のレンズを用いる事により、ズーム比を確保しつつ全長、前玉径を低減している。
【０００８】
物体側より正の第１群、負の第２群、正の第３群を配し、望遠側で第１群と第２群の空気間隔を増大させる事により、負先行型に比べて広角側でのレンズ全長、前玉径を小型化する事が可能となっている。
【０００９】
前述の様な正先行型のレンズにおいては、高変倍を得ようとすると主変倍群である第３群の変倍比を多く取る為、第２群と第３群の空気間隔の変化を大きくする必要がある。一方、絞りはズーミング中の収差変動を低減する為、主変倍群であ３群の近傍に配されるのが一般的である。２群と第３群は空気間隔の変化が大きい為、広角端で２群と第３群の間隔が大きくなる。
【００１０】
特許文献１と同様の構成で更に８０〜１００倍程度の変倍比をえようとした場合、第３群でさらに変倍させる必要がある為、広角端における第２群、第３群の空気間隔が増大すると共に３群のズーミング移動量が大きくなる。この時広角端において絞りは第３群の径を小型化する為にある程度第３群と近い位置に配置する必要がある為、第２群との空気間隔が大きくなる。
【００１１】
第２群と絞りの間隔が大きくなると最周辺の周辺光量を確保する為、第２群のレンズ径が大きくなる為、第２群で最周辺と中心の中間画角の光線を充分にカット出来なくなり、中間画角から最周辺にかけて周辺光量が急峻に低下するという課題がある。
【００１２】
特許文献２においては、第１群と絞りを固定としたため、８０倍〜１００倍程度の高変倍比にしようとすると前玉径が肥大化する為、高変倍化には限界があった。又絞りが固定の為、第３群変倍比を確保し移動量が大きくなると、Ｆｎｏ絞りと第３群が望遠域においてメカ的に干渉してくるという課題があった。
【００１３】
このように、特許文献１及び特許文献２においては、前述の理由により前玉径の小型維持と高変倍化の両立には限界があった。
【００１４】
本発明は、８０〜１００倍程度の変倍比を有しつつ、前玉径が小さく、沈胴時にコンパクトに収納可能なレンズ系を提供することを目的とする。
【課題を解決するための手段】
【００１５】
上記の目的を達成するために、本発明は、物体側より正の第1レンズ群、負の第2レンズ群を有し、正の第3レンズ群とその像側に後続のレンズ群を有し、 各レンズ群の空気間隔を変化させる事により変倍を行うズームレンズ系において、広角端から望遠端へのズーミング中、第1群は物体側へ移動し、第1群と第2群の空気間隔が増大し、第2群と第3群は減少すると共に、第2群と第3群の間にフレアカット絞りとＦｎｏ絞りを有する。広角端から望遠端へのズーミング中フレアカット絞りとＦｎｏ絞り、第３群はそれぞれ各群とは独立に移動し、フレアカット絞りとＦｎｏ絞りの空気間隔は減少し、Ｆｎｏ絞りと第３群の空気間隔は減少することを特徴とする。
【００１６】
更にＢｅｓｔ  ｍｏｄｅに近づける為の望ましい構成は以下の条件を満足することを特徴とする。
【００１７】
前記レンズ系において、フレアカット絞りとＦｎｏ絞りの位置は広角端、望遠端において以下の条件式を満足する様に移動することを特徴とする。
【００１８】
４．２  ＜（ｄｓｆＷ−ｄｓｆｔ）／ｆｗ  ＜  １２    ・・・（１）
２．５  ＜（ｄｓｓＷ−ｄｓｓｔ）／ｆｗ  ＜３．７      ・・・（２）
ｄｓｆＷ；広角端におけるフレアカット絞りとＦｎｏ絞りの間隔
ｄｓｆｔ；望遠端におけるフレアカット絞りとＦｎｏ絞りの間隔
ｄｓｓＷ；広角端におけるFno絞りの間隔と第３群の間隔
ｄｓｓｔ；望遠端におけるFno絞りの間隔と第３群の間隔
ｆｗ：広角端の焦点距離
前記レンズ系において、フレアカット絞りとＦｎｏ絞りの広角端から望遠端へのズーミング移動量は以下の条件式を満足する様に移動することを特徴とする。
【００１９】
１．１＜  Ｍ３／ｆ３  ＜２．８                      ・・・（３）
０．０５  ＜Ｍｓｆ／ｆ３  ＜  ０．６                ・・・（４）
０．７  ＜Ｍｓｓ／ｆ３  ＜  ２．５                  ・・・（５）
Ｍ３；第３群のズーミング移動量
Ｍｓｆ；フレアカット絞りのズーミング移動量
Ｍｓｓ；Ｆｎｏ絞りのズーミング移動量
ｆ３；第３群の焦点距離
前記レンズ系において、前記第1群、第3群は以下の条件式を満足することを特徴とする。
【００２０】
０．２  ＜  ｆ１／ｆｔ  ＜  ０．４      ・・・（６）
０．０３  ＜  ｆ３／ｆｔ  ＜０．２      ・・・（７）
ｆ１；第１群の焦点距離
ｆ３；第３群の焦点距離
ｆｔ；望遠端における全系の焦点距離
前記レンズ系において物体側より正の第1レンズ群、負の第2レンズ群を有し、正の第3レンズ群、負の第4レンズ群、正の第5レンズ群からなり、広角端より望遠端へのズーミング中第3群、第4群の空気間隔が変化し、第4群と第5群の空気間隔が増大することを特徴とする。
【００２１】
前記レンズ系において前記第１レンズ群は負の第１１レンズ、正の第１２レンズ、正の第１３レンズ、正の第１４レンズ、にて構成され、前記第１１レンズと第１２レンズを接合した構成とすることを特徴とする。
【００２２】
前記レンズ系において前記第２レンズ群は負の第２１レンズ、正の第２２レンズ、負の第２３レンズ、負の第２４レンズ、負の第２５レンズ、にて構成され、前記第２２レンズと第２３レンズを接合した構成とすることを特徴とする。
【発明の効果】
【００２３】
本発明によれば、前述の構成により80〜100倍程度の変倍比を有しつつ、ズーム全域において良好に収差補正、周辺光量特性を有する、コンパクトで携帯性に優れたズームレンズを提供する事が出来る。
【図面の簡単な説明】
【００２４】
【図１】実施例１レンズ断面図（上から広角端、中間、望遠端）
【図２】実施例２レンズ断面図（上から広角端、中間、望遠端）
【図３】実施例３レンズ断面図（上から広角端、中間、望遠端）
【図４Ａ】実施例１縦収差図（広角端）
【図４Ｂ】実施例１縦収差図（中間）
【図４Ｃ】実施例１縦収差図（望遠端）
【図５Ａ】実施例２縦収差図（広角端）
【図５Ｂ】実施例２縦収差図（中間）
【図５Ｃ】実施例２縦収差図（望遠端）
【図６Ａ】実施例３縦収差図（広角端）
【図６Ｂ】実施例３縦収差図（中間）
【図６Ｃ】実施例３縦収差図（望遠端）
【図７】2、3群間のフレアカット絞りの効果を示す模式図
【発明を実施するための形態】
【００２５】
以下、本発明を実施するための形態を図面に基づいて説明する。
【００２６】
本発明の実施例１〜３においては、物体側より正の第１群Ｌ１、負の第２群Ｌ２、正の第３群Ｌ３、負の第４群Ｌ４、正の第５群Ｌ５からなる。実施例１〜３において、広角端より望遠端へのズーミング中第１群は非線形に移動し、望遠端においては、広角端より物体側に位置する。第２群は非線形に移動し、望遠端においては、広角端より像側に位置する。第３群は物体側へ移動し、第２群と第３群の間に独立に移動するフレアカット絞りとＦｎｏ絞りを配している。第４群は非線形に移動し、望遠端においては、広角端より物体側に位置する。第５群は物側に凸状の軌跡で移動する。
【００２７】
本発明の実施形態においては、広角端から望遠端へのズーミング中、第１群、第２群の空気間隔は増大し、第２群とフレアカット絞りの間隔は減少する。フレアカット絞りとＦｎｏ絞りの空気間隔は減少し、Ｆｎｏ絞りと第３群の空気間隔は減少する。第３群と第４群の間隔は増大し、第４群と第５群の間隔は増大する。
【００２８】
本発明の実施形態においては、８５〜１００倍程度の変倍比を有し超高変倍比を有するコンパクトな光学系を実現している。本発明の実施形態においては、コンパクトで高変倍な光学系とする為、第１群が移動し、広角端での光学全長を短くする事により絞りと第１群、第２群の距離を小さくし、前玉径の小型化を実現している。
【００２９】
又、主変倍となる第３群を物体側へ大きく移動させることにより第２群との空気間隔変化を充分に確保し、所望の変倍分担を得ている。そして、第２群と第３群の間に第２群の先頭から一定間隔をおいた位置に、Ｆｎｏ絞りを配置している。
【００３０】
４．２  ＜（ｄｓｆＷ−ｄｓｆｔ）／ｆｗ  ＜  １２    ・・・（１）
即ち、（１）式を満足する位置にＦｎｏ絞りを配置している。これは、第２群と第３群のレンズ径がバランス良く径の小型化を達成する条件で、又（１）式の位置に配置する事により第２群のレンズ径を小さくすると共に、第３群の軸外光束の通る位置を適切にして広角域での軸外収差の補正を可能にしている。
【００３１】
前述の如く変倍の為第３群が大きく移動する為、望遠端でＦｎｏ絞りが第３群と干渉しない様に移動させると共に、第３群との間隔が減少する様に移動させ、第２群と第３群の間隔変化を充分に確保出来る様にしている。
【００３２】
Ｆｎｏ絞りの広角端での位置は第２群から大きく離れているので、充分な周辺光量を確保出来る様に２群の径を設定すると、中間画角の光束が必要以上に入り、中間画角から周辺部への周辺光量変化が大きくなるという課題がある。そこで第２群とＦｎｏ絞りの間に、不要な中間画角光束をカットする為にフレアカット絞りを
４．８  ＜（ｄｓｓＷ−ｄｓｓｔ）／ｆｗ  ＜９．５      ・・・（２）
を満足する様に配置し、広角域での周辺光量の急峻な低下を緩和している。
【００３３】
フレアカット絞りに関しても望遠端でフレアカット絞りがＦｎｏ絞りと干渉しない様に移動させると共に、Ｆｎｏ絞りとの間隔が減少する様に移動させ、第２群と第３群の間隔変化を充分に確保出来る様にしている。
【００３４】
図７は広角端におけるフレアカット絞りの効果を模式的に示した図である。前述の通り、Ｆｎｏ絞りを設定した場合Ｆｎｏ絞りと第２群の広角端での間隔が大きい為、中間画角の光束を２群とＦｎｏ絞りの中間に配置されるフレアカットし絞りでカットしている。斜線で示した断面領域がフレアカット絞りでカットされる光束を示している。
【００３５】
第３群が変倍の為に大きく移動する構成としたが、Ｆｎｏ絞り、フレアカット絞りそれぞれの効果を確保しつつメカ的な干渉をしない様にそれぞれの移動量は、以下の条件を満足する様に設定している。
【００３６】
１．１＜  Ｍ３／ｆ３  ＜２．８                          ・・・（３）
０．０５  ＜Ｍｓｆ／ｆ３  ＜  ０．６                ・・・（４）
０．７  ＜Ｍｓｓ／ｆ３  ＜  ２．５                  ・・・（５）
又８０倍以上高変倍を有しつつ前玉径を小型化する為に第１群と主変倍である第３群の焦点距離を適切に設定している。即ち、
０．２  ＜  ｆ１／ｆｔ  ＜  ０．４                ・・・（６）
０．０３  ＜  ｆ３／ｆｔ  ＜０．２      ・・・（７）
なる条件式を満足させている。
【００３７】
望遠域における色収差、球面収差を補正する為の構成として、第１群の構成を負、正、正、正４枚構成とし物体側の負、を接合レンズとしている。
【００３８】
広角域周辺部でのコマフレアー、望遠域周辺部でのコマ収差、色コマ収差を第２群を物体寄りに接合レンズを含む、負、正、負、正、正の５枚構成とする事により良好に補正している。
【００３９】
実施例１、３においては、前記第３レンズ群は正の第３１レンズ、負の第３２レンズ、正の第３３レンズ、負の第３４レンズ、負の３５レンズ、正の第３６ンズにて構成され、前記第３４レンズと第３５レンズを接合する構成としている。
【００４０】
実施例２においては、前記第３レンズ群は正の第３１レンズ、負の第３２レンズ、正の第３３レンズ、負の第３４レンズ、負の３５レンズ、正の第３６ンズ、正の３７レンズにて構成され、前記第３４レンズと第３５レンズを接合する構成としている。数値実施例１、３においては、第３群全体を光軸と垂直方向に移動させる事により手ぶれ補正を行う構成としている。又、数値実施例２においては、第３５レンズ〜第３７レンズの３枚を光軸と垂直方向に移動させる事により手ぶれ補正を行う構成としている。
【００４１】
本発明の実施形態において、広角域、望遠域の中間の像面湾曲変動を補正する構成として第４群のレンズ構成を正の第４１レンズ、負の第４２レンズ、の２枚にて構成している。第５群も、中間の像面湾曲変動を補正する構成として正の第５１レンズ、正の第５２レンズ、負の５３レンズの３枚にて構成している。
【００４２】
次に各条件式の意味について説明する。
【００４３】
（１）式は、広角端におけるフレアカット絞りとＦｎｏ絞りの間隔と望遠端におけるフレアカット絞りとＦｎｏ絞りの間隔の差を広角端の焦点距離で規格化したものである。（１）式の上限値を超えて上記間隔の差が大きくなり過ぎると、広角端最周辺の周辺光量の確保が困難となってくるので良くない。（１）式の下限値を超えて上記間隔の差が小さくなり過ぎると広角端、中間画角の光線を充分にカットする事が出来ずフレアカットの効果を得る事が出来ない為、中間画角から周辺画角への周辺光量の低下が急峻となってくるので良くない。
【００４４】
（２）式は、広角端におけるＦｎｏ絞りと第３群の間隔と望遠端におけるＦｎｏ絞りと第３群の間隔の差を広角端の焦点距離で規格化したものである。（２）式の上限値を超えて広角端におけるＦｎｏ絞りと第３群の間隔が大きくなり過ぎると広角域において周辺光束が第３群を通る光線高が大きくなり、第３群のレンズ径が大きくなってくるので良くない。（２）式の上限値を超えて広角端におけるＦｎｏ絞りと第３群の間隔が小さくなり過ぎると、広角端におけるＦｎｏ絞りと第２群の間隔が大きくなる為、絞りと第１群及び第２群の距離が大きくなる為、レンズ径全体が大きくなってくるので良くない。
【００４５】
（３）式は、第３群の移動量を第３群の焦点距離で規格化したもので、（３）式の上限値を超えて第３群の移動量が大きくなり過ぎると第３群を移動させる為のカム溝を形成する事が困難となってくるので良くない。（３）式の下限値を超えて第３群の移動量が小さくなり過ぎると、第３群の変倍分担が充分に得られず、所望の変倍比を達成する事が困難となってくるので良くない。
【００４６】
（４）式は、フレアカット絞りの移動量を第３群の焦点距離で規格化したもので、（４）式の上限を超えてフレアカット絞りの移動量が大きくなり過ぎると、第３群との移動量の差が少なくなえる為、フレアカットの効果を得る事が出来ない。この為、中間画角から周辺画角への周辺光量の低下が急峻となってくるので良くない。（４）の下限値を超えてフレアカット絞りの移動量が小さくなり過ぎると像側のＦｎｏ絞りと望遠側で干渉してくるので良くない。
【００４７】
（５）式は、Ｆｎｏ絞りの移動量を第３群の焦点距離で規格化したもので、（５）式の上限を超えてＦｎｏ絞りの移動量が大きくなり過ぎると、広角端において第２群との空気間隔が大きくなる為絞りと第１群及び第２群の距離が大きくなる為、レンズ径全体が大きくなってくるので良くない。（５）の下限値を超えてＦｎｏ絞りの移動量が小さくなり過ぎると、広角端におけるＦｎｏ絞りと第３群の間隔が大きくなり過ぎると広角域において周辺光束が第３群を通る光線高が大きくなり、第３群のレンズ径が大きくなってくるので良くない。
【００４８】
（６）式は、第１群の焦点距離を望遠端の焦点距離で規格化したもので、（６）式の上限値を超えて第１群の焦点距離が大きくなり過ぎると、望遠端において軸上色収差の補正が困難と成っくるので良くない。（６）式の下限値を超えて第１群の焦点距離が小さくなり過ぎると、広角域におけるコマフレアー等の軸外収差の補正が困難となってくるので良くない。
【００４９】
（７）式は、第３群の焦点距離を望遠端の焦点距離で規格化したもので、（７）式の上限値を超えて第３群の焦点距離が大きくなり過ぎると、第３群での変倍分担を確保する事が困難となってくるので良くない。（７）式の下限値を超えて第３群の焦点距離が小さくなり過ぎると、望遠域における球面収差を良好に補正する事が困難となってくるので良くない。
【００５０】
本発明の目的をより最良に近づける為には以下の条件を満足すると更に良い。
【００５１】
４．８  ＜（ｄｓｆＷ−ｄｓｆｔ）／ｆｗ  ＜  ９．５        ・・・（１ｄ）
３．０  ＜（ｄｓｓＷ−ｄｓｓｔ）／ｆｗ  ＜３．４      ・・・（２ｄ）
１．２＜  Ｍ３／ｆ３  ＜２．３                            ・・・（３ｄ）
０．０７  ＜Ｍｓｆ／ｆ３  ＜  ０．３                  ・・・（４ｄ）
０．９  ＜Ｍｓｓ／ｆ３  ＜  １．９                    ・・・（５ｄ）
０．２５＜  ｆ１／ｆｔ  ＜  ０．３８                    ・・・（６ｄ）
０．０５  ＜  ｆ３／ｆｔ  ＜０．１２              ・・・（７ｄ）
（数値実施例1）
単位 mm
面データ
面番号       r        d      nd         vd
1        115.699    1.80   1.91082    35.3           
2         76.060    6.65   1.43875    94.9           
3       2961.502    0.18                             
4         80.495    3.99   1.43875    94.9           
5        272.256    0.30                             
6        105.134    2.86   1.43875    94.9           
7        304.658  (可変)                             
8         68.222    0.95   1.85135    40.1           
9*        12.169    6.00                             
10       -129.588    1.90   1.95906    17.5           
11        -32.095    0.80   1.88300    40.8           
12         31.878    2.26                             
13        -53.362    0.70   1.83481    42.7           
14        111.457    0.50                             
15         31.842    2.72   1.80809    22.8           
16       -194.803  (可変)                             
17          ∞     (可変)                             
18(絞り)    ∞     (可変)                             
19*        19.778    2.25   1.49710    81.6           
20*       -28.563    0.10                             
21       -421.138    0.50   1.77250    49.6           
22         59.017    0.10                             
23          9.491    2.62   1.59282    68.6           
24         36.422    0.30                             
25         25.167    0.60   1.80400    46.6           
26          8.597    1.83                             
27         43.736    0.40   1.74950    35.3           
28         20.319    1.76   1.59282    68.6           
29        -63.793  (可変)                             
30       -120.251    1.10   1.74950    35.3           
31        -43.351    0.40                             
32        -32.221    0.50   1.51537    61.9           
33         29.875  (可変)                             
34       -178.368    1.70   1.59282    68.6           
35        -30.794    0.20                             
36         19.195    2.89   1.59282    68.6           
37        -99.367    0.50   1.95906    17.5           
38        254.336  (可変)                             
39          ∞       0.80   1.51633    64.1           
40          ∞     (可変)                             
像面        ∞   
非球面データ
第9面
K = 1.62808e-001  A 4=-6.84642e-006  A 6=-8.49771e-009  A 8= 3.67756e-010  
第19面
K =-7.55144e-002  A 4=-1.19601e-004  A 6=-9.52551e-008  A 8= 1.04803e-009  A10=-2.73224e-011  
第20面
K = 0.00000e+000  A 4=-6.58134e-005  A 6= 5.26201e-008  
各種データ
ズーム比     97.21 
広角     中間     望遠
焦点距離       3.87    22.14   376.02  
Fナンバー      2.39     3.31     7.07  
画角          42.00     9.93     0.59  
像高           3.48     3.88     3.88  
レンズ全長   142.65   165.30   218.19  
BF             0.89     0.89     0.89  
d 7            0.53    51.69    96.77  
d16           26.19     7.51     1.06  
d17           35.00    10.64     0.20  
d18           12.13     3.02     0.01  
d29            4.02     9.23    31.20  
d33            4.84    14.84    30.56  
d38            8.87    17.29     7.33  
d40            0.89     0.89     0.89  
ズームレンズ群データ
群  始面    焦点距離  
1    1     124.43  
2    8     -11.27  
3   17       ∞    
4   18       ∞    
5   19      24.20  
6   30     -45.19  
7   34      24.93  
8   39       ∞    
（数値実施例２）
単位 mm
面データ
面番号       r        d      nd         vd
1        118.490    1.80   1.91082    35.3           
2         77.751    6.43   1.43875    94.9           
3        985.210    0.18                             
4         86.231    3.81   1.43875    94.9           
5        288.768    0.30                             
6         93.337    3.43   1.43875    94.9           
7        327.347  (可変)                             
8*        74.231    0.95   1.85135    40.1           
9*        14.307    5.96                             
10        -95.066    1.92   1.95906    17.5           
11        -30.137    0.80   1.88300    40.8           
12         25.914    2.37                             
13        -73.398    0.70   1.83481    42.7           
14         61.028    0.57                             
15         28.904    2.28   1.80809    22.8           
16       -232.318  (可変)                             
17          ∞     (可変)                             
18(絞り)    ∞     (可変)                             
19*        22.987    2.04   1.49710    81.6           
20*       -28.626    0.10                             
21       -261.944    0.50   1.66196    57.6           
22         61.454    0.10                             
23          9.525    2.32   1.59282    68.6           
24         35.131    0.31                             
25         26.097    0.60   1.80400    46.6           
26          8.994  (可変)                             
27         35.782    0.40   1.72672    35.4           
28         16.759    2.62   1.59282    68.6           
29       -190.631    0.20                             
30        234.726    1.28   1.59282    68.6           
31       -142.866  (可変)                             
32       -238.387    1.10   1.74950    35.3           
33        -52.682    0.27                             
34        -58.721    0.50   1.51562    64.1           
35         19.197  (可変)                             
36       -190.512    2.06   1.59282    68.6           
37        -26.903    0.20                             
38         17.054    2.96   1.59282    68.6           
39        339.161    0.50   1.95906    17.5           
40         59.687  (可変)                             
41          ∞       0.80   1.51633    64.1           
42          ∞     (可変)                             
像面        ∞   
非球面データ
第8面
K = 0.00000e+000  A 4= 2.37490e-005  A 6=-6.16501e-008  
第9面
K = 4.14596e-001  A 4= 1.59040e-005  A 6= 7.29579e-008  A 8= 1.62129e-009  
第19面
K = 6.02273e-001  A 4=-1.47828e-004  A 6= 3.58903e-008  A 8= 9.98747e-010  A10=-3.60468e-011  
第20面
K = 0.00000e+000  A 4=-8.91045e-005  A 6= 1.48108e-007  
各種データ
ズーム比     95.36 
広角     中間     望遠
焦点距離       3.87    23.52   369.00  
Fナンバー      2.56     3.38     7.07  
画角          41.99     9.36     0.60  
像高           3.48     3.88     3.88  
レンズ全長   142.14   164.84   217.99  
BF             0.83     0.83     0.83  
d 7            0.40    53.39    96.77  
d16           25.14     6.39     1.41  
d17           35.00    10.64     0.20  
d18           12.17     1.25    -0.00  
d26            2.46     2.46     2.46  
d31            4.32     6.91    24.43  
d35            3.01    12.71    34.01  
d40            8.44    19.87     7.51  
d42            0.83     0.83     0.83  
ズームレンズ群データ
群  始面    焦点距離  
1    1     124.36  
2    8     -11.17  
3   17       ∞    
4   18       ∞    
5   19      37.51  
6   27      45.83  
7   32     -40.86  
8   36      24.68  
9   41       ∞    
（数値実施例３）
単位 mm
面データ
面番号       r        d      nd         vd
1        131.829    1.50   1.91082    35.3           
2         65.957    6.61   1.49700    81.5           
3      -10989.631    0.18                             
4         73.412    3.56   1.49700    81.5           
5        284.139    0.30                             
6         98.674    2.56   1.49700    81.5           
7        308.330    0.10                             
8        194.075    1.60   1.64040    18.9           
9*       222.993  (可変)                             
10*       139.817    0.95   1.87829    36.2           
11*        13.962    4.93                             
12        443.853    2.29   1.95906    17.5           
13        -35.000    0.80   1.91082    35.3           
14         19.259    2.81                             
15        -50.657    0.70   1.88300    40.8           
16         84.877    0.96                             
17         29.857    2.21   1.80809    22.8           
18        -83.529  (可変)                             
19          ∞     (可変)                             
20(絞り)    ∞     (可変)                             
21*        17.860    1.66   1.49710    81.6           
22*       -40.298    0.10                             
23        257.254    0.50   1.70699    55.3           
24         84.645    0.10                             
25          8.767    2.11   1.49700    81.5           
26         53.477    1.92                             
27         24.923    0.60   1.88300    40.8           
28          7.732    1.11                             
29         48.863    0.40   1.74950    35.3           
30         19.064    1.10   1.59282    68.6           
31       -122.070  (可変)                             
32        164.212    1.10   1.74950    35.3           
33        -23.386    0.22                             
34        -23.018    0.50   1.62099    51.0           
35         27.627  (可変)                             
36         93.518    2.04   1.59282    68.6           
37        -31.422    0.20                             
38         13.612    2.74   1.59282    68.6           
39         57.450    0.50   1.95906    17.5           
40         28.938  (可変)                             
41          ∞       0.80   1.51633    64.1           
42          ∞     (可変)                             
像面        ∞   
非球面データ
第9面
K = 0.00000e+000  A 4=-2.93443e-008  A 6= 6.73356e-013  A 8=-4.90685e-015  
第10面
K = 0.00000e+000  A 4=-5.47087e-006  
第11面
K =-3.63187e-001  A 4= 6.18275e-006  A 6= 3.15757e-007  A 8=-8.67593e-010  
第21面
K =-2.40148e+000  A 4=-1.02679e-004  A 6=-1.11358e-006  A 8= 1.53327e-008  A10=-3.28148e-010  
第22面
K = 0.00000e+000  A 4=-9.51139e-005  A 6=-6.80261e-007  
各種データ
ズーム比     81.02 
広角     中間     望遠
焦点距離       3.88    28.26   314.00  
Fナンバー      2.69     3.97     7.04  
画角          41.94     7.81     0.71  
像高           3.48     3.88     3.88  
レンズ全長   125.68   142.90   189.01  
BF             0.66     0.66     0.66  
d 9            0.46    47.41    81.31  
d18           28.54     5.99     0.87  
d19           20.00     6.14     0.20  
d20           12.44    -0.46    -0.01  
d31            1.41    11.34    34.33  
d35            4.08     1.38    16.31  
d40            8.33    20.69     5.58  
d42            0.66     0.66     0.66  
ズームレンズ群データ
群  始面    焦点距離  
1    1     105.00  
2   10     -10.81  
3   19       ∞    
4   20       ∞    
5   21      25.80  
6   32     -81.09  
7   36      22.04  
8   41       ∞    
以下に、本発明の好ましい実施の形態を、添付の図面に基づいて詳細に説明する。図１は本発明の実施形態にかかわる実施例１の断面図である。
【００５２】
（実施例１、３）
以下、図１を参照して、本発明における第１の実施例の構成について説明する。図１で、図中上側よりそれぞれ広角端、中間、望遠端を示す。本発明の実施例１〜３においては、物体側より正の第１群、負の第２群、正の第３群、負の第４群、正の第５群からなる。
【００５３】
実施例１〜３において、広角端より望遠端へのズーミング中第１群は非線形に移動し望遠端においては、広角端より物体側に位置する。１、２群間隔は増大する。第２群は非線形に移動し、望遠端においては、広角端より像側に位置する。２，３群間隔は減少する。第３群は物体側へ移動し、第２群と第３群の間に独立に移動するフレアカット絞りとＦｎｏ絞りを配している。フレアカット絞りとＦｎｏ絞りの間隔、Ｆｎｏ絞りと第３群の間隔はそれぞれ減少する。
【００５４】
第４群は非線形に移動し、望遠端においては、広角端より物体側に位置する。第５群は物側に凸状の軌跡で移動する。４、５群の間隔は増大する。第４群を像側に移動させるか、若しくは第５群を物体側へ移動させる事によりファーカシングを行う。
【００５５】
数値実施例２〜３においても、レンズの移動方向、間隔変化の概要は同様である。
【００５６】
以上、本発明の好ましい実施形態について説明したが、本発明はこれらの実施形態に限定されず、その要旨の範囲内で種々の変形及び変更が可能である。
【００５７】
【表１】
2016191766.tif 000003
【００５８】
小型で広画角のズームレンズに関し、特に所定の変倍比を確保すると共に、レンズ全長の短縮化を図った携帯性に優れたズームレンズとすることができる。
【符号の説明】
【００５９】
d  d線、g  g線、△M  メリディオナル像面
【図１】
2016191766.tif 000004
【図２】
2016191766.tif 000005
【図３】
2016191766.tif 000006
【図４Ａ】
2016191766.tif 000007
【図４Ｂ】
2016191766.tif 000008
【図４Ｃ】
2016191766.tif 000009
【図５Ａ】
2016191766.tif 000010
【図５Ｂ】
2016191766.tif 000011
【図５Ｃ】
2016191766.tif 000012
【図６Ａ】
2016191766.tif 000013
【図６Ｂ】
2016191766.tif 000014
【図６Ｃ】
2016191766.tif 000015
【図７】
2016191766.tif 000016